(57)【要約】【課題】  扉内部にストッパを溶植し、かつ、中央掛け金に突起部を設ける必要があるため、コストがかかっていた。また、設置後はハンドルの回転角度を調整することが困難であるという３連掛け金を用いた開閉扉の問題点を解決する。【解決手段】  開閉操作を行うハンドル１１、ハンドルに連動するようにハンドルに取り付けられた中央掛け金１３、中央掛け金１３に連動するように中央掛け金１３の両端部に取り付けられた２つの連結板１５、１６各連結板１５、１６に連動するように各連結板１５、１６に取り付けられた上部掛け金１８及び下部掛け金１７、を有する３連掛け金を用いた開閉扉であって、ハンドル１１の操作に連動して２つの連結板１５、１６が一定距離移動したときに、２つの連結板１５、１６に挟まれるように設置された回り止めワッシャ１４を有する３連掛け金を用いた開閉扉。【選択図】  図１
2006193929.tif 000002
【特許請求の範囲】
【請求項１】
開閉操作を行うハンドルと、
前記ハンドルに連動するように前記ハンドルに取り付けられた中央掛け金と、
前記中央掛け金に連動するように前記中央掛け金の両端部に取り付けられた２つの連結板と、
前記各連結板に連動するように前記各連結板に取り付けられた上部掛け金及び下部掛け金と、を有する３連掛け金を用いた開閉扉であって、
前記ハンドルの操作に連動して前記２つの連結板が一定距離移動したときに、当該２つの連結板に挟まれるように設置された回り止めワッシャを有することを特徴とする３連掛け金を用いた開閉扉。
【請求項２】
前記回り止めワッシャは、前記中央掛け金を前記ハンドルに取り付けるボルトと一体に構成されることを特徴とする請求項１に記載の３連掛け金を用いた開閉扉。
【発明の詳細な説明】
【技術分野】
【０００１】
本発明は、配電盤筐体の扉に用いる掛け金の構造に関するものである。
【背景技術】
【０００２】
配電盤筐体内部には電気機器等が収納されているため、配電盤筐体内部に埃や粉塵等の電気機器に悪影響を及ぼすものが混入することは避けなければならない。しかし、埃や粉塵の多い環境や、屋外に配電盤筐体を設置しなければならない場合もある。このような場合には、配電盤筐体の開閉扉を閉じた状態で保持するための保持機構に密閉性の高いものを用いて配電盤筐体内部に埃や粉塵等が混入しないようにして対応している(例えば、特許文献１、２参照。)。
【０００３】
この保持機構の密閉性に優れる技術として、３連掛け金を用いた開閉扉が特に有効である。この３連掛け金を用いた開閉扉の正面断面図及び側面断面図を図６に示す。
【０００４】
図６に示すように、３連掛け金を用いた開閉扉は、扉開閉を行うためのハンドル１１、扉の中央、上部、及び下部に配置された３つの掛け金１３、１７、１８、並びに上部掛け金１８と中央掛け金１３とを連結する連結板１５及び下部掛け金１７と中央掛け金１３とを連結する連結板１６から構成される。
【０００５】
詳細な構成を以下に説明する。開閉扉の開閉を行うハンドル１１の先端部分はナット状になっており、取り付けボルト１２を中央掛け金の中央孔に嵌通させてこれをハンドル１１の先端部分のナットで締め付けることで、ハンドル１１と中央掛け金１３とが連動するよう取り付ける。また、ハンドル１１の先端部分をボルト状にして、これを中央掛け金の中央孔に嵌通させて締め付けナットで締め付けることで、ハンドル１１と中央掛け金１３とが連動するよう取り付けることも可能である。
【０００６】
中央掛け金１３の左右両端部分には孔が設けられており、これらの孔にはそれぞれ連結板１５、１６の一端が取り付けられ、この連結板１５、１６の他端はそれぞれ上部掛け金１８及び下部掛け金１７に取り付けられる。各掛け金１３、１７、１８と連結板１５、１６とは、掛け金の取り付け孔を中心に連結板１５、１６が回動自由になるように取り付けられている。このため、ハンドル操作により、中央掛け金１３、連結板１５、１６、及び上下の掛け金１７、１８は連動するようになっている。
【０００７】
この３連掛け金を用いた開閉扉では、閉じた状態において上部掛け金１８、中央掛け金１３、及び下部掛け金１７の３箇所の凸部分が開閉扉の外縁に取り付けられたパッキンを圧迫して押しつぶすことで、配電盤筐体と開閉扉との間に埃や粉塵が入り込む隙間が生じるのを防いでいる。
【０００８】
また、ハンドル１１を回転させて扉を開いた状態にすると、この回転操作に連動して中央掛け金１３が回転し、さらに、中央掛け金１３の両端に取り付けられた連結板１５、１６を介して上部掛け金１８及び下部掛け金１７が連動して回転する。このように各掛け金が回転することで、上部掛け金１８、中央掛け金１３、及び下部掛け金１７の凸部分はパッキンを圧迫しない状態となり、開閉扉を開くことができる。
【特許文献１】特開２０００−７８７１０号公報
【特許文献２】特開平８−２８９４１９号公報
【発明の開示】
【発明が解決しようとする課題】
【０００９】
図７に示すようにハンドル１１を回して開閉扉を開状態にする際に、ハンドル１１の回転角度が大きいと中央掛け金１３の回転もこれに連動して大きくなる。このため、中央掛け金１３と下部掛け金１７とを繋ぐ連結板１６を必要以上に引き上げてしまい、支点である下部掛け金１７と連結板１６との取り付け点が、掛け金の回転軸１９に近づきすぎることになる(ｃ)。このような状態では、ハンドル１１を閉じる方向に回転させても連結板１６が下部の掛け金１７を回転させることができず、下部掛け金１７を閉じた状態に戻すことができない。
【００１０】
このような事態を回避するために、中央掛け金１３に突起部７１を設け、これが一定角度移転したところで扉内部に設けたストッパ７２に接触させることで、ハンドル操作による各掛け金の回転角度を制限している(ｂ)。
【００１１】
しかし、このような方法では、扉内部にストッパ７２を溶植し、かつ、中央掛け金に突起部７１を設ける必要があるため、コストがかかっていた。また、設置後はハンドル１１の回転角度を調整することが困難である、という問題も有している。
【００１２】
本発明はかかる事情に鑑みてなされたもので、その目的は、上記課題を解決した配電盤筐体の開閉扉に用いる３連掛け金を提供することにある。
【課題を解決するための手段】
【００１３】
そこで、上記課題を解決するために、請求項１に記載の発明は、開閉操作を行うハンドルと、前記ハンドルに連動するように前記ハンドルに取り付けられた中央掛け金と、前記中央掛け金に連動するように前記中央掛け金の両端部に取り付けられた２つの連結板と、前記各連結板に連動するように前記各連結板に取り付けられた上部掛け金及び下部掛け金と、を有する３連掛け金を用いた開閉扉であって、前記ハンドルの操作に連動して前記２つの連結板が一定距離移動したときに、当該２つの連結板に挟まれるように設置された回り止めワッシャを有することを特徴とする。
【００１４】
また、請求項２に記載の発明は、前記回り止めワッシャは、前記中央掛け金を前記ハンドルに取り付けるボルトと一体に構成されることを特徴とする。
【００１５】
請求項１に記載の発明では、前記ハンドルの操作に連動して前記２つの連結板が一定距離移動したときに、当該２つの連結板にワッシャが挟まれるので、連結板の移動範囲が制限される。これにより、ハンドルの回転により連結板を必要以上に引き上げてしまい、支点である下部掛け金と連結板との取り付け点が、掛け金の回転軸に近づきすぎてしまうという事態の発生を防ぐことができる。したがって、ハンドルを閉じる方向に回転させても連結板が下部掛け金を回転させることができず、下部掛け金を閉じた状態に戻すことができない、という事態は生じない。
【００１６】
なお、回り止めワッシャは簡単に取り替えることができるので、連結板の移動範囲、すなわち、ハンドルの回転範囲を容易に調整することが可能である。
【００１７】
さらに、請求項２に記載の発明では、ワッシャとボルトとを一体に構成しているので部材を少なくすることが可能である。
【発明の効果】
【００１８】
請求項１に記載の発明によれば、扉内部にストッパを溶植すること、及び中央掛け金に突起部を設ける必要がなくなり、開閉扉にかかるコストを削減することが可能である。
【００１９】
また、設置後であってもハンドルの回転角度を調整することが容易になる。
【００２０】
さらに請求項２によれば、部材を少なくすることにより開閉扉にかかるコストを削減することが可能である。
【発明を実施するための最良の形態】
【００２１】
以下、本発明の実施形態を図面を用いて説明する。
【００２２】
(実施形態１)
図１は、実施形態１に用いる３連掛け金を用いた開閉扉の正面図(ａ)及びＡ方向矢視図(ｂ)である。図１に示すように、開閉扉の開閉を行うハンドル１１の先端部分はナット状になっており、取り付けボルト１２を中央掛け金１３の中央孔に嵌通させてこれをハンドル１１の先端部分のナットで締め付けることで、ハンドル１１と中央掛け金１３とが連動するよう取り付けられ、さらに、図２に示すように取り付けボルト１２と中央掛け金１３との間に回り止めワッシャ１４を介挿している。
【００２３】
このように取り付けボルト１２と中央掛け金１３との間に回り止めワッシャ１４を介挿することで、開閉扉を開くためにハンドル１１を回転させたときには、２つの連結板１５、１６が一定距離移動したところでこれらの連結板１５、１６が回り止めワッシャ１４を挟み込むことになり、連結板１５、１６の移動範囲が制限される。これにより、ハンドル１１の回転により連結板１６を必要以上に引き上げてしまい、支点である下部掛け金１７と連結板１６との取り付け点が、掛け金の回転軸１９に近づきすぎてしまうという事態の発生を防ぐことができる。したがって、ハンドル１１を閉じる方向に回転させても連結板１６が下部掛け金１７を回転させることができず、下部掛け金１７を閉じた状態に戻すことができない、という事態は生じない。
【００２４】
なお、取り付けボルト１２をはずす操作だけで、回り止めワッシャ１４を簡単に取り替えることができるので、連結板１５、１６の移動範囲、すなわち、ハンドル１１の回転範囲を容易に調整することが可能である。
【００２５】
(実施形態２)
図３は、実施形態２に用いるボルトの上方視図(ａ)及び側面図(ｂ)である。図３に示すように、締め付け部分３１の下部に回り止めワッシャ３２を一体に取り付けた取り付けボルトを用いて、ハンドルと中央掛け金とを取り付けることも可能である。
【００２６】
(実施形態３)
図４は、実施形態３に用いるボルトの上方視図(ａ)及び側面図(ｂ)である。図４に示すように、締め付け部分４１と回り止めワッシャ４１とを一体にした取り付けボルトを用いて、ハンドルと中央掛け金とを取り付けることも可能である。
【００２７】
(実施形態４)
図５は、実施形態４に用いる３連掛け金を用いた開閉扉の正面図(ａ)及びＡ方向矢視図(ｂ)である。図５に示すように、ハンドル１１の先端部分をボルト状にして、これを中央掛け金１３の中央孔に嵌通させて締め付けナット５１で締め付けることで、ハンドル１１と中央掛け金１３とが連動するよう取り付けられ、さらに、締め付けナット５１と中央掛け金１３との間に回り止めワッシャ１４を介挿している。
【００２８】
このように締め付けナット５１と中央掛け金１３との間に回り止めワッシャ１４を介挿することで、開閉扉を開くためにハンドル１１を回転させたときには、２つの連結板１５、１６が一定距離移動したところでこれらの連結板１５、１６が回り止めワッシャ１４を挟み込むことになり、連結板１５、１６の移動範囲が制限される。これにより、ハンドル１１の回転により連結板１６を必要以上に引き上げてしまい、支点である下部掛け金１７と連結板１６との取り付け点が、掛け金の回転軸１９に近づきすぎてしまうという事態の発生を防ぐことができる。したがって、ハンドル１１を閉じる方向に回転させても連結板１６が下部の掛け金１７を回転させることができず、下部掛け金１７を閉状態に戻すことができない、という事態は生じない。
【００２９】
なお、締め付けナット５１をはずす操作だけで、回り止めワッシャ１４を簡単に取り替えることができるので、連結板１５、１６の移動範囲、すなわち、ハンドル１１の回転範囲を容易に調整することが可能である。
【図面の簡単な説明】
【００３０】
【図１】実施形態１に用いる３連掛け金を用いた開閉扉の正面図(ａ)及びＡ方向矢視図(ｂ)。
【図２】回り止めワッシャの取り付け説明図。
【図３】実施形態２に用いるボルトの上方視図(ａ)及び側面図(ｂ)。
【図４】実施形態３に用いるボルトの上方視図(ａ)及び側面図(ｂ)。
【図５】実施形態４に用いる３連掛け金を用いた開閉扉の正面図(ａ)及びＡ方向矢視図(ｂ)。
【図６】３連掛け金を用いた開閉扉の構成図(ａ)及びＢ方向矢視図。
【図７】３連掛け金を用いた開閉扉のハンドル操作説明図。
【符号の説明】
【００３１】
１１…ハンドル
１２…取り付けボルト
１３…中央掛け金
１４…回り止めワッシャ
１５…連結板
１６…連結板
１７…下部掛け金
１８…上部掛け金
１９…掛け金の回転軸
３１…締め付け部分
３２…回り止めワッシャ
４１…締め付け部分及び回り止めワッシャ
７１…突起部
７２…ストッパ
【図１】
2006193929.tif 000003
【図２】
2006193929.tif 000004
【図３】
2006193929.tif 000005
【図４】
2006193929.tif 000006
【図５】
2006193929.tif 000007
【図６】
2006193929.tif 000008
【図７】
2006193929.tif 000009